(57)【要約】      （修正有）【課題】白紙等に、規則的に任意の箇所に、水平線や垂直線、斜線等を引くことができる補助的役目を果たす正方形物差しを提供する。【解決手段】平面上に、一般に使用されている長い平板状の物差し１を、上下左右に配置し、正方形を形作り、内側に空間部を持つ正方形物差しの表面に記された、相対又は隣接するメモリに、自在にスライドする物差し２や移動する物差し３の両端部を合わせ置き、白紙４等に線を引くことにより補助的役目を果たす正方形物差しとする。【選択図】図２
0003176229.tif 000002
【実用新案登録請求の範囲】
【請求項１】
四方を長い平板状の物差し（１）で形成され、内側に空間部を持ち、相対又は隣接するメモリを線で結び引くことにより、補助的役目を果たす正方形物差し。
【考案の詳細な説明】
【技術分野】
【０００１】  本考案は、物差し等によって線を引く為に、補助的役目を果たす正方形物差しに関するものである。
【背景技術】
【０００２】  一般に使用されている鉛筆等に長さを測るメモリを備えた鉛筆、筆記具（特許文献１）や、従来の物差しと同様、２点間の長さも測れる伸縮自在物差しで、鞘状の袋体を備えたもので、難度のある場所でも物差しを自在に調節し、長さを正確に測ることができる（特許文献２）が知られている。
【先行技術文献】
【特許文献】
【０００３】
【特許文献１】  特開２００５−２６２８５９号広報
【特許文献２】  特開２００４−４５１２７号広報
【考案の概要】
【考案が解決しようとする課題】
【０００４】  物差しを使い、白紙等に、水平線や、垂直線、斜線等を引く時など、規則的に任意の線を引く難しさがあった。
本考案は、以上の問題点を解決する為に考案されたものである。
【課題を解決するための手段】
【０００５】  平面上に、一般に使用されている長い平板状の物差し（１）を、上下左右に配置し、正方形を形作り、内側に空間部を持つ正方形物差しの表面に記された、相対又は隣接するメモリに、自在にスライドする物差し（２）や移動する物差し（３）の両端部を合わせ置き、白紙（４）等に線を引くことにより補助的役目を果たす正方形物差し。
以上の構成よりなる正方形物差し。
【考案の効果】
【０００６】  本考案を使用することによって、白紙等に、水平線や垂直線、斜線等を、規則的に任意の線で引き表すことができる。
また、薄いベニヤ板やアクリル板等の上に置き、利用することで多種多様の使い方もできる。
【図面の簡単な説明】
【０００７】
【図１】本考案の正方形物差しの斜視図
【図２】本考案の正方形物差しの使用状況を示す平面図
【考案を実施するための形態】
【０００８】  以下、本考案の実施の形態を説明する。
平面上に、一般に使用されている長い平板状の物差し（１）を上下左右に配置し、両先端部同士を溶着し、正方形の形と成った物差しの表面にある相対又は隣接するメモリに、自在にスライドする物差し（２）や移動する物差し（３）を合わせ置くことにより、規則的に任意の線を引くことができる。
本考案は以上の構成よりなる。
本考案を使用する場合は、正方形の形をした専用設置台（５）の上に、方形の異なる白紙（４）等の角部分の一角を、（５）の同じ角部分に重ね合わせ置き、（４）等の平面上に長い平板状の物差し（１）で形作られた内側に空間部を持つ正方形物差しを重ね合わせることにより、自重で（４）等を押え、相対又は隣接する（１）の同じメモリに、自在にスライドする物差し（２）や移動する物差し（３）の両端部を合わせ置くことで（４）等に、水平線や垂直線、斜線等など、規則的に任意の線を引き表すことができる。
【符号の説明】
【０００９】１  平板状の物差し
２  スライドする物差し
３  移動する物差し
４  白紙
５  専用設置台
【図１】
0003176229.tif 000003
【図２】
0003176229.tif 000004
【手続補正書】
【提出日】平成24年3月12日(2012.3.12)
【手続補正１】
【補正対象書類名】明細書
【補正対象項目名】全文
【補正方法】変更
【補正の内容】
【考案の詳細な説明】
【技術分野】
【０００１】本考案は、一般に使用されている同等の長さの物差しを、上下左右に配置することで、規則的に水平線や垂直線を引くことができる正方形物差しに関するものである。
【背景技術】
【０００２】一般に使用されている鉛筆等に長さを測るメモリを備えた鉛筆、筆記具（特許文献１）や、従来の物差しと同様、２点間の長さも測れる伸縮自在物差しで、鞘状の袋体を備えたもので、難度のある場所でも物差しを自在に調節し、長さを正確に測ることができる（特許文献２）が知られている。
【先行技術文献】
【特許文献】
【０００３】
【特許文献１】特開２００５−２６２８５９号広報
【特許文献２】特開２００４−４５１２７号広報
【考案の概要】
【考案が解決しようとする課題】
【０００４】  物差しを使い、白紙等に、水平線や垂直線を引く時など、規則的に任意の線を引く難しさがあった。  本考案は、以上の問題点を解決する為に考案されたものである。
【課題を解決するための手段】
【０００５】  平面上に、一般に使用されている同等の長い平板状の物差し（１）を、上下左右に配置し、正方形を形作り、内側に空間部を持つ正方形物差しの表面に記されたメモリに、自在にスライドする物差し（２）の両先端部を上下、又は左右に合わせ置き、線を引くことにより白紙（３）等に規則的に直線を引くことができる正方形物差し。  以上の構成よりなる正方形物差し。
【考案の効果】
【０００６】  本考案を使用することによって、白紙等に、水平線や垂直線を、規則的に任意の線で引き表すことができる。  また、薄いベニア板やアクリル板等の上に置き、使用することで多種多様の使い方もできる。
【図面の簡単な説明】
【０００７】
【図１】本考案の正方形物差しの斜視図
【図２】本考案の正方形物差しの使用状況を示す平面図
【考案を実施するための形態】
【０００８】  以下、本考案の実施の形態を説明する。  平面上に、一般に使用されている同等の長い平板状の物差し（１）を上下左右に配置し、両先端部同士を接着し、正方形の形と成った物差しの表面に記されたメモリに、自在にスライドする物差し（２）の両先端部を合わせ置くことにより、規則的に任意の直線を引くことができる。本考案は以上の構成よりなる。  本考案を使用する場合は、正方形の形をした物差しの角部の下に、方形の異なる白紙（３）等の角部の一角を同じ角部分に重ね合わせ置くことにより自重で（３）等を押え、空間部を持つ正方形物差しの表面に記されたメモリに、内側に設けられた自在にスライドする物差し（２）の両先端部を上下、又は左右に合わせ置くことにより（３）等に水平線や垂直線など、規則的に任意の線を引き表すことができる。
【符号の説明】
【０００９】１  平板状の物差し２  スライドする物差し３  白紙
【手続補正２】
【補正対象書類名】実用新案登録請求の範囲
【補正対象項目名】請求項１
【補正方法】変更
【補正の内容】
【請求項１】
四方を同等の長い平板状の物差し（１）で正方形に形作られた物差しの空間部に設けられた自在にスライドする物差し（２）の両先端部を、正方形物差しの上下、又は左右のメモリに合わせ置くことにより、規則的に直線を引くことができる正方形物差し。
【手続補正３】
【補正対象書類名】図面
【補正対象項目名】全図
【補正方法】変更
【補正の内容】
【図１】
0003176229.tif 000005
【図２】
0003176229.tif 000006